(57)【要約】【課題】衝撃音、摩擦音、ガタつき音等の動作音を低減できる錠装置の消音機構を提供し、静粛性の向上を図る。【解決手段】錠箱３にカム板を回動自在に内設し、操作部材１９の軸をカム板に相対回転不能に貫通し、操作部材１９の回転によりカム板を介してラッチボルト５３を錠箱３に後退させる錠装置の消音機構において、カム板に、回転中心と同軸で形成された正方形の角軸部と、この角軸部を同軸で包囲するとともに４５度の相対角を有して錠箱に固定された正方形の枠部と、枠部のそれぞれの隅部と角軸部の外周面との間に挟入された４つの弾性柱体と、を具備した。また、錠装置の消音機構は、カム板に、回転中心と同軸の円柱軸部が角軸部の外側で形成され、錠箱３に、この円柱軸部を回動自在に嵌合支持する受け穴が形成されてもよい。【選択図】      図１
2010065440.tif 000002
【特許請求の範囲】
【請求項１】
錠箱にカム板を回動自在に内設し、操作部材の軸を該カム板に相対回転不能に貫通し、前記操作部材の回転により前記カム板を介してラッチボルトを前記錠箱に後退させる錠装置の消音機構であって、
前記カム板に、回転中心と同軸で形成された正方形の角軸部と、
該角軸部を同軸で包囲するとともに４５度の相対角を有して前記錠箱に固定された正方形の枠部と、
該枠部のそれぞれの隅部と前記角軸部の外周面との間に挟入された４つの弾性柱体と、  を具備したことを特徴とする錠装置の消音機構。
【請求項２】
請求項１記載の錠装置の消音機構であって、
前記カム板に、回転中心と同軸の円柱軸部が前記角軸部の外側で形成され、
前記錠箱に、該円柱軸部を回動自在に嵌合支持する受け穴が形成されたことを特徴とする錠装置の消音機構。
【請求項３】
請求項１又は２記載の錠装置の消音機構であって、
前記ラッチボルトを後退させる回転と逆方向で回転する前記カム板に当たる衝接部が前記錠箱に設けられ、
該衝接部のカム板衝接面にクッション部材が設けられたことを特徴とする錠装置の消音機構。
【請求項４】
請求項１，２，３のいずれか１つに記載の錠装置の消音機構であって、
前記ラッチボルトを後退させる回転と逆方向の回転方向に前記カム板を付勢するリリースばねが該カム板と前記錠箱との間に設けられたことを特徴とする錠装置の消音機構。
【請求項５】
請求項４記載の錠装置の消音機構であって、
前記リリースばねが前記ラッチボルトの進退方向に沿って伸縮するコイルばねであり、
前記錠箱の扉木口に頭部を表出させて調整ネジが回動自在に支持され、
一端を前記カム板に当接した前記リリースばねの他端が、該調整ネジに螺合し且つ回転規制される可動座板に当接されたことを特徴とする錠装置の消音機構。
【発明の詳細な説明】
【技術分野】
【０００１】
本発明は、操作部材の軸を錠箱内のカム板に相対回転不能に貫通し、操作部材の回転によりカム板を介してラッチボルトを錠箱に後退させる錠装置の消音機構に関する。
【背景技術】
【０００２】
錠装置に備えられる錠ボルトには、施錠を行うためのデッドボルトと、扉が風などで開かないように扉枠に仮締めするラッチボルトとがある。ラッチボルトは、錠箱内に内蔵した進退機構によって、扉の木口から進退される。進退機構は、扉表裏面に設けられたノブあるいはレバーハンドル等の操作部材から解錠操作力が入力されると、ラッチボルトを錠箱内へ後退させる。これにより、扉枠側に設けられたストライクに対するラッチボルトの係止が解除され、扉が開放可能となる。
【０００３】
ところで、ラッチボルトの進退機構では、一般的に、操作部材の操作によりラッチボルトは後退するが、ラッチボルトの後退で操作部材は回転しない。つまり、操作側からの一方向の入力伝達機構を構成している。ラッチボルトは、単独の進出付勢ばねによって進出方向へ付勢される。このような非可逆伝達機構において、操作部材によりラッチボルトが後退操作されずに閉扉されると、ラッチボルトは先端傾斜面がストライクの衝接縁部に当たり、衝接縁部から反力を受ける。反力を受けたラッチボルトは、進出付勢ばねの付勢力に抗して錠箱内に押し込められる。そして、閉扉が完了すると、ラッチボルトがストライク穴と一致し、ラッチボルトは再び進出付勢ばねの付勢力により進出し、扉を仮締め状態とした。
【発明の開示】
【発明が解決しようとする課題】
【０００４】
しかしながら、従来のラッチボルトの進退機構は、消音機構などが設けられておらず、静粛性の高いものとは言えなかった。すなわち、操作部材が開扉操作されると、進出付勢ばねが圧縮され、圧縮される進出付勢ばねが錠箱内壁等に摺接して摩擦音の発生することがあった。また、操作部材が退操作されずに閉扉され、一旦後退したラッチボルトが進出付勢ばねの付勢力により進出されると、進出したラッチボルトがストッパー等に当たって停止することによる衝撃音が発生し、夜間では気になるノイズとなった。錠装置では、一般に錠ボルトの動きなどを軽快なものとするために、錠箱と錠ボルトの間に十分な遊びを設けており、このような点からも、ガタつき音、動作音の発生する問題があった。また、動作音などを低減させるために、錠箱を覆うなどの工夫のなされたものもあったが、錠箱には錠ボルト進退用の開口部を設けなければならず、遮音構造が不十分となって、効果が小さかった。
【０００５】
本発明は上記状況に鑑みてなされたもので、衝撃音、摩擦音、ガタつき音等の動作音を低減できる錠装置の消音機構を提供し、静粛性の向上を図ることを目的とする。
【課題を解決するための手段】
【０００６】
次に、上記の課題を解決するための手段を、実施の形態に対応する図面を参照して説明する。
本発明の請求項１記載の錠装置の消音機構は、錠箱３にカム板１５を回動自在に内設し、操作部材１９の軸２１を該カム板１５に相対回転不能に貫通し、前記操作部材１９の回転により前記カム板１５を介してラッチボルト５３を前記錠箱３に後退させる錠装置の消音機構であって、
前記カム板１５に、回転中心と同軸で形成された正方形の角軸部２３と、
該角軸部２３を同軸で包囲するとともに４５度の相対角を有して前記錠箱３に固定された正方形の枠部２５と、
該枠部２５のそれぞれの隅部２９と前記角軸部２３の外周面３１との間に挟入された４つの弾性柱体３３と、
を具備したことを特徴とする。
【０００７】
この錠装置の消音機構では、枠部２５の各内隅部２９と角軸部２３の外周面３１との間に、外力が加わらない状態では円柱形状の弾性柱体３３が圧入挟入されており、ラッチボルト５３を後退させる方向に操作部材１９が回転されると、角軸部２３によって弾性柱体３３が隅部２９と外周面３１との間で圧縮変形され、その弾性復元力が操作部材１９の復帰回転力に寄与される。操作部材１９から手が放されると、弾性柱体３３の復元力にて角軸部２３、すなわち、操作部材１９が回転復帰される。これらの正逆方向の回転の際、角軸部２３が弾性柱体３３に接触したままで回転される。また、弾性柱体３３も枠部２５の内壁に接触したままで変形する。つまり、角軸部２３、弾性柱体３３、枠部２５は、相互に摺接することがなく、しかも、遊びも生じない。このため摺接音やガタつき音の発生することがない。さらに、復帰回転の停止時には、弾性柱体３３が徐々に圧縮されながらカム板１５を停止させ、復帰回転停止時の衝撃も吸収されることとなる。
【０００８】
請求項２記載の錠装置の消音機構は、請求項１記載の錠装置の消音機構であって、
前記カム板１５に、回転中心と同軸の円柱軸部３５が前記角軸部２３の外側で形成され、
前記錠箱３に、該円柱軸部３５を回動自在に嵌合支持する受け穴３７が形成されたことを特徴とする。
【０００９】
この錠装置の消音機構では、弾性柱体３３によって支持された角軸部２３が、同軸の円柱軸部３５にて錠箱３の受け穴３７に支持され、枠部２５の中心と角軸部２３の中心に位置ずれが生じなくなる。これにより、弾性柱体３３の弾性力が、角軸部２３の回転方向のみに有効利用可能となる。
【００１０】
請求項３記載の錠装置の消音機構は、請求項１又は２記載の錠装置の消音機構であって、
前記ラッチボルト５３を後退させる回転と逆方向で回転する前記カム板１５に当たる衝接部７１が前記錠箱３に設けられ、
該衝接部７１のカム板衝接面にクッション部材７３が設けられたことを特徴とする。
【００１１】
この錠装置の消音機構では、操作部材１９が復帰回転されたときの衝撃が、上記した弾性柱体３３の圧縮変形による吸収に加え、クッション部材７３の圧縮変形によっても吸収される。
【００１２】
請求項４記載の錠装置の消音機構は、請求項１，２，３のいずれか１つに記載の錠装置の消音機構であって、
前記ラッチボルト５３を後退させる回転と逆方向の回転方向に前記カム板１５を付勢するリリースばね４５が該カム板１５と前記錠箱３との間に設けられたことを特徴とする。
【００１３】
この錠装置の消音機構では、操作部材１９として、特に回転中心から半径方向に突出するレバーハンドル１９が取り付けられ、このハンドル自重によってモーメントが生じた場合であっても、リリースばね４５の付勢力によってそのモーメントが相殺され、打ち消されることとなる。
【００１４】
請求項５記載の錠装置の消音機構は、請求項４記載の錠装置の消音機構であって、
前記リリースばね４５が前記ラッチボルト５３の進退方向に沿って伸縮するコイルばねであり、
前記錠箱３の扉木口５に頭部６３を表出させて調整ネジ６７が回動自在に支持され、
一端を前記カム板１５に当接した前記リリースばね４５の他端が、該調整ネジ６７に螺合し且つ回転規制される可動座板６９に当接されたことを特徴とする。
【００１５】
この錠装置の消音機構では、裏板１３に表出した調整ネジ６７の頭部６３が回転されると、可動座板６９が調整ネジ６７の軸線方向、すなわち、リリースばね４５の伸縮方向に変位し、リリースばね４５の付勢力が増減可能となる。これにより、異なる自重のレバーハンドル１９に応じた付勢力が設定可能となる。
【発明の効果】
【００１６】
本発明に係る請求項１記載の消音機構によれば、カム板の回転中心と同軸で角軸部を形成し、角軸部を包囲する枠部を４５度の相対角で錠箱に固定し、枠部の隅部と角軸部の間に弾性柱体を挟入したので、ラッチボルトを後退させる方向に回転された操作部材が復帰回転されると、角軸部と枠部の間に挟まれた弾性柱体が圧縮され、復帰回転停止時の衝撃がこの弾性柱体の変形によって吸収される。また、カム板回動方向（正逆回転方向）に遊びが生じず、騒音、ガタつき音の発生が抑制される。さらに、弾性柱体を圧縮変形させるので、摺接機構部分が少なくなり、摩擦音が発生し難くなる。この結果、動作音を低減し、高い静粛性を得ることができる。
【００１７】
請求項２記載の消音機構によれば、カム板に、回転中心と同軸の円柱軸部を形成し、錠箱に、この円柱軸部を回動自在に嵌合支持する受け穴を形成したので、弾性柱体のみにより、カム板の回転中心を枠部の中心に位置合わせ（センター合わせ）するのに比べ、カム板の回転中心を高精度に枠部の中心に位置合わせできる。
【００１８】
請求項３記載の消音機構によれば、ラッチボルトを後退させる回転と逆方向で回転するカム板に当たる衝接部を錠箱に設け、衝接部のカム板衝接面にクッション部材を設けたので、操作部材が復帰回転されたときの衝撃が、上記した弾性柱体の圧縮変形による吸収に加え、クッション部材の圧縮変形によっても吸収され、復帰回転停止時の衝撃荷重がより確実に吸収でき、衝撃音が一層発生し難くなる。
【００１９】
請求項４記載の消音機構によれば、ラッチボルトを後退させる回転と逆方向の回転方向にカム板を付勢するリリースばねを、カム板と錠箱の間に設けたので、特に回転中心から半径方向に突出するレバーハンドルが取り付けられたときに生じるハンドル自重によるモーメントを、リリースばねの付勢力によって打ち消し、レバーハンドルを水平支持することができる。
【００２０】
請求項５記載の消音機構によれば、リリースばねをラッチボルトの進退に沿う方向の伸縮コイルばねとし、錠箱に調整ネジを回動自在に支持し、カム板に当接したリリースばねの端を調整ネジに螺合する可動座板に当接したので、リリースばねの付勢力を、調整ネジの回動によって増減調整でき、自重の異なる種々のレバーハンドルを水平支持できる。
【発明を実施するための最良の形態】
【００２１】
以下、本発明に係る錠装置の消音機構の好適な実施の形態について図面を参照して詳細に説明する。
図１は本発明に係る消音機構を備えた扉の外観斜視図、図２は図１に示した錠箱内を透視して主要部材を表した側面図、図３は図２に示した錠箱の蓋を外した側面図、図４は図２に示した錠箱の蓋を外した斜視図である。
扉１の開閉端側には錠箱３が内設される。扉１の木口５にはフロント化粧板７が取り付けられる。錠箱３は、扁平な六面体で形成され、両側面が扉表裏面と平行となって収容される。錠箱３は、一方の側面側の図４に示すケース９と、このケース９の側面開口を閉鎖する蓋１１とを有する。
【００２２】
錠箱３は、扉１内に形成された収容空間に、木口５から挿入され、挿入後端の裏板１３にて木口５に固定される。裏板１３は、その表面に取り付けられる上記のフロント化粧板７にて覆われる。なお、本実施の形態では、錠箱３が扉１内に内設される構造を例に説明するが、本発明に係る錠装置の消音機構は、錠箱３が扉１の表面に取り付けられる面付錠タイプのものであっても勿論よい。
【００２３】
錠箱３にはカム板１５が回動自在に内設される。カム板１５には回転中心と同軸で形成した角穴１７が貫通形成される。角穴１７は、操作部材である図１に示すレバーハンドル１９の角軸２１を挿入する。レバーハンドル１９は、カム板１５を介して後述のラッチボルトを錠箱３に後退させる。
【００２４】
図５はカム板近傍部材の斜視図、図６は図５の分解斜視図である。
カム板１５の側面には回転中心と同軸で正方形の角軸部２３が突出して形成される。一方、錠箱３のケース９には正方形の枠部２５が固定されている。枠部２５は、角軸部２３を同軸で包囲するとともに４５度の相対角を有している。本実施の形態では、枠部２５が、上下辺部を水平として正立姿勢で配置され、角軸部２３が枠部２５に対し４５度回転した傾斜姿勢で配置される。枠部２５には上変部に二か所、下辺部に一か所の固定部２７が形成され、固定部２７は蓋１１の固定孔１１ａを貫通する不図示のネジに螺着される。
【００２５】
枠部２５内周のそれぞれの隅部２９と角軸部２３の外周面３１との間には、４つの弾性柱体３３が挟入される。弾性柱体３３は、例えばエラストマやシリコンゴムからなり、図６の一つに示すように円柱形状に形成され、隅部２９に圧入し挟入されることで他の三つに示すように、三角柱形状に弾性変形或いはやや圧縮変形された状態となる。
【００２６】
カム板１５には回転中心と同軸の円柱軸部３５が角軸部２３の外側で形成される。錠箱３には、円柱軸部３５を回動自在に嵌合支持する図４に示す受け穴３７が形成されている。弾性柱体３３によって支持された角軸部２３が、同軸の円柱軸部３５にて錠箱３の受け穴３７に支持され、枠部２５の中心と角軸部２３の中心に位置ずれが生じなくなる。すなわち、弾性柱体３３のみにより、カム板１５の回転中心を枠部２５の中心に位置合わせ（センター合わせ）するのに比べ、カム板１５の回転中心を高精度に枠部２５の中心に位置合わせできる。これにより、弾性柱体３３の弾性力が、角軸部２３の回転方向のみに有効利用可能となる。
【００２７】
カム板１５は、回転方向の両端で回転が規制され、図２に示す回転一端から、所定角度、本実施の形態では２７．５度の図中時計回りで回転他端へ回転可能となる。カム板１５は通常時、図２に示すように上方向に略垂直となって起立する。カム板１５には角軸２１を挟んで反対側の下端側に突起３８が形成される。ケース９の下部にはリリースブロック３９が収容され、リリースブロック３９は側面のガイド突起４１を蓋１１のガイド長穴４３に係合させることで、扉木口５に垂直方向に移動自在となる。
【００２８】
リリースブロック３９とケース９及び後述する可動座板の間にはリリースばね４５が配置され、リリースばね４５はリリースブロック３９を裏板１３から離反する方向（図３の右方向）に付勢する。リリースばね４５にて付勢されたリリースブロック３９は、凸部４７が枠部２５に当たりそれ以上の移動が規制される。枠部２５に当たったリリースブロック３９の先端には、カム板１５の上述した突起３８が当接される。
【００２９】
したがって、レバーハンドル１９が図１のａ方向に操作され、カム板１５が図３の時計回りに回転されると、突起３８が、リリースばね４５の付勢力に抗してリリースブロック３９を図３の左方へ移動する。
【００３０】
枠部２５の上方には図４に示すボルトガイド空間４８が形成される。ボルトガイド空間４８は、錠箱３の対面する内壁４９，５１間に形成されラッチボルト５３を進退自在に収容する。内壁４９，５１は、ケース９と蓋１１の側壁からなる。ボルトガイド空間４８は、裏板１３、フロント化粧板７に形成された図２，図４に示す開口穴７ａ，１３ａにて木口５で開口される。これにより、ラッチボルト５３は、扉１に固定された錠箱３に可動自在に内設され、木口５から進出される。
【００３１】
ラッチボルト５３の側面には複数のガイド用突起５５（図４にそのうちの一つを示す）が設けられ、これらのガイド用突起５５はケース９及び蓋１１に形成された例えばガイド長穴５７と係合することで、ラッチボルト５３を開口穴７ａ，１３ａから進退自在な方向で可動支持する。
【００３２】
ケース後壁５９とラッチボルト５３との間には進出バネ６１が配置され、進出バネ６１はラッチボルト５３を進出方向に付勢する。ラッチボルト５３は、進出バネ６１に付勢されることで、ラッチ先端部５３ａが木口５から突出する。
【００３３】
ラッチボルト５３の側面には係合突起６３（図３参照）が設けられ、係合突起６３は起立したカム板１５に係合する。したがって、図２に示す状態からレバーハンドル１９が図１のａ方向に回転操作されれば、カム板１５が図２の時計回りに回転し、ラッチボルト５３を進出バネ６１の付勢力に抗して後退される。
【００３４】
リリースばね４５は、ラッチボルト５３を後退させる回転と逆方向の回転方向にカム板１５を付勢する。特に本実施の形態のように、操作部材として、回転中心から半径方向に突出するレバーハンドル１９が取り付けられ、このハンドル自重によってモーメントが生じた場合であっても、リリースばね４５の付勢力によってそのモーメントが相殺され打ち消される。これにより、レバーハンドル１９を水平支持することができる。
【００３５】
本実施の形態において、リリースばね４５は、ラッチボルト５３の進退方向に沿って伸縮する。錠箱３の扉木口５に配置される裏板１３には、頭部６３を表出させる調整ネジ６７が回動自在に支持される。リリースブロック３９を介してカム板１５に当接したリリースばね４５は、他端が、可動座板６９に当接する。可動座板６９は、調整ネジ６７に螺合し且つ回転規制される。
【００３６】
裏板１３に表出した調整ネジ６７の頭部６３が回転されると、可動座板６９が調整ネジ６７の軸線方向、すなわち、リリースばね４５の伸縮方向に変位し、リリースばね４５の付勢力が増減可能となる。これにより、リリースばね４５の付勢力を、調整ネジ６７の回動によって増減調整でき、自重の異なる種々のレバーハンドル１９を水平支持できるようになっている。
【００３７】
また、錠箱３には、ラッチボルト５３を後退させる回転と逆方向で回転するカム板１５に当たる衝接部７１が設けられている。この衝接部７１のカム板衝接面にはクッション部材７３が設けられる。レバーハンドル１９の操作時にレバーハンドル１９から手が放され、レバーハンドル１９のみが復帰回転されたときの衝撃が、上記した弾性柱体３３の圧縮変形による吸収に加え、クッション部材７３の圧縮変形によっても吸収される。これにより、復帰回転停止時の衝撃荷重がより確実に吸収でき、衝撃音が一層発生し難くなっている。
【００３８】
本実施の形態において、ラッチボルト５３、内壁４９，５１は、ナイロン等の樹脂素材からなる。剛性の高い金属製部材同士が接触する構造に比べ、剛性の低い樹脂製部材同士が接触することで、接触音が発生し難くなっている。また、一方の部材を金属製とした場合の樹脂製部材の摩耗が生じ難くなっている。さらに、ラッチボルト５３、内壁４９，５１が複雑な形状で加工可能となる。
【００３９】
なお、ラッチボルト５３、内壁４９，５１に使用する低摩擦樹脂としては、上述のナイロンの他、ウレタン、ポリエチレン、ポリ塩化ビニル等を用いることができる。また、耐摩耗性樹脂としては、テフロン（登録商標）、四フッ化エチレン樹脂、フッ素樹脂等を用いることができる。
【００４０】
次に、上記構成を有する錠装置の消音機構の作用を説明する。
図７はラッチボルトが後退操作された錠箱の側面図、図８は復元回転したラッチボルトが衝接部に当たった状態の錠箱の側面図である。
ラッチボルト５３は、開扉時、及び閉扉時に、進出バネ６１の付勢により図１に示すように木口５から突出する。レバーハンドル１９が図１のａ方向に回転操作されると、係合突起６３を介してラッチボルト５３が図７に示すように、弾性柱体３３の弾性変形力、進出バネ６１の付勢力、リリースばね４５の付勢力に抗して後退される。扉が閉められ、レバーハンドル１９が持たれたまま、ａ方向と反対方向へ戻されると、回転操作されたレバーハンドル１９は、弾性柱体３３、進出バネ６１、リリースばね４５の復元力により回転前の位置に戻され、同時に、ラッチボルト５３が再び突出状態となる。突出したラッチボルト５３は、ラッチ先端部５３ａが図示しないストライク穴に進入し、扉１を仮締めする。
【００４１】
また、レバーハンドル１９が図１のａ方向に回転操作されずに閉扉されると、ラッチボルト５３の先端部５３ａが図示しないストライク板の縁部に当たり、縁部からの反力を受けることで、ラッチボルト５３は錠箱３内へ押し込められる。この際、ラッチボルト５３の係合突起６３は、カム板１５から離脱し、レバーハンドル１９は回転されない。
【００４２】
閉扉が完了すると、ラッチボルト５３がストライク穴と一致し、再び弾性柱体３３、進出バネ６１、リリースばね４５の付勢力により進出し、扉１を仮締め状態とする。
【００４３】
さらに、図８に示すように、操作回転の後、レバーハンドル１９から手が放されれば、復帰回転されたときの衝撃が、弾性柱体３３の圧縮変形による吸収に加え、クッション部材７３の圧縮変形によっても吸収されることとなる。
【００４４】
このように、ラッチボルト５３を後退させる方向にレバーハンドル１９が回転されると、角軸部２３によって弾性柱体３３が圧縮変形され、その弾性復元力がレバーハンドル１９の復帰回転力に寄与される。レバーハンドル１９から手が放されると、弾性柱体３３の復元力にて角軸部２３、すなわち、レバーハンドル１９が回転復帰される。これらの正逆方向の回転の際、角軸部２３が弾性柱体３３に接触したままで回転される。また、弾性柱体３３も枠部２５の内壁に接触したままで変形する。つまり、角軸部２３、弾性柱体３３、枠部２５は、相互に摺接することがなく、しかも、無駄な遊びも生じない。このため摺接音やガタつき音の発生が抑制される。さらに、復帰回転の停止時には、弾性柱体３３が徐々に圧縮されながらカム板１５を停止させ、復帰回転停止時の衝撃も吸収されることとなる。
【００４５】
したがって、本実施の形態による錠装置の消音機構によれば、カム板１５の回転中心と同軸で角軸部２３を形成し、角軸部２３を包囲する枠部２５を４５度の相対角で錠箱３に固定し、枠部２５の隅部２９と角軸部２３の間に弾性柱体３３を挟入したので、ラッチボルト５３を後退させる方向に回転されたレバーハンドル１９が復帰回転されると、角軸部２３と枠部２５の間に挟まれた弾性柱体３３が圧縮され、復帰回転停止時の衝撃がこの弾性柱体３３の変形によって吸収される。また、カム板回動方向（正逆回転方向）に遊びが生じず、騒音、ガタつき音等の発生が抑制される。さらに、弾性柱体３３を圧縮変形させるので、摺接機構部分が少なくなり、摩擦音が発生し難くなる。この結果、動作音を低減し、高い静粛性を得ることができる。
【００４６】
なお、上記した実施の形態では、錠箱３が樹脂材料からなる例を説明したが、本発明の錠装置の消音機構において、錠箱３は、樹脂製に限られず、金属製、あるいは、樹脂部材と金属部材との組み合わせ構造としてもよい。組み合わせ構造としては、例えば、ケース９を金属製、蓋１１を樹脂製としてもよく、あるいは、金属製のケース９及び蓋１１の内面に樹脂材をライニングする構造等としてもよい。
【図面の簡単な説明】
【００４７】
【図１】本発明に係る消音機構を備えた扉の外観斜視図である。
【図２】図１に示した錠箱内を透視して主要部材を表した側面図である。
【図３】図２に示した錠箱の蓋を外した側面図である。
【図４】図２に示した錠箱の蓋を外した斜視図である。
【図５】カム板近傍部材の斜視図である。
【図６】図５の分解斜視図である。
【図７】ラッチボルトが後退操作された錠箱の側面図である。
【図８】復元回転したラッチボルトが衝接部に当たった状態の錠箱の側面図である。
【符号の説明】
【００４８】
３…錠箱
５…扉木口
１３…裏板
１５…カム板
１９…操作部材（レバーハンドル）
２１…軸（角軸）
２３…角軸部
２５…枠部
２９…隅部
３１…角軸部の外周面
３３…弾性柱体
３５…円柱軸部
３７…受け穴
４５…リリースばね
５３…ラッチボルト
６３…頭部
６７…調整ネジ
６９…可動座板
７１…衝接部
７３…クッション部材
【図１】
2010065440.tif 000003
【図２】
2010065440.tif 000004
【図３】
2010065440.tif 000005
【図４】
2010065440.tif 000006
【図５】
2010065440.tif 000007
【図６】
2010065440.tif 000008
【図７】
2010065440.tif 000009
【図８】
2010065440.tif 000010